(57)【要約】【課題】ケース内で液晶表示パネルの上に設置されるタッチパネルをケースに収納するときにタッチパネルを適正な位置に位置決めできるとともに、液晶表示パネルがケースに収納できなくなる可能性をなくす。【解決手段】平面形状が略矩形であるケースの側部に、４つの壁部１０ａ，１０ｂ，１０ｃ，１０ｄが設けられ、タッチパネル２０をガイドするためのガイド部１１，１２が、２つの壁部が接する箇所に設けられている。ガイド部１１，１２におけるケースの底面側の面に、ガイド部１１，１２が設けられていない壁部１０ａの側から該壁部に対向する壁部１０ｃの側に向かって下降するように傾斜部が設けられている。【選択図】図１
2008209763.tif 000002
【特許請求の範囲】
【請求項１】
表示パネルと、表示パネルよりも視認側に設置されるタッチパネルとを収容するケースであり、表示パネルおよびタッチパネルを囲うように形成された複数の壁部を有するタッチパネル付き表示装置のケースであって、
タッチパネルを案内する部材であって、ケース内部に張り出す部分を有し、タッチパネルが収納されたときにタッチパネルの側部に当接する側面を有するガイド部が前記壁部の上部に設けられ、
前記ガイド部におけるケースの底面側の面に、前記複数の壁部のうちの１つの壁部の側から該壁部に対向する、表示パネルの位置基準となる壁部の側に向かって下降する傾斜部が設けられている
ことを特徴とするタッチパネル付き表示装置のケース。
【請求項２】
ケースの平面形状は略矩形であり、
４つの壁部がケースの側部に設けられ、
ガイド部は、表示パネルの位置基準となる壁部と隣接する壁部とが接する箇所に設けられ、
傾斜部は、ガイド部が設けられていない壁部の側から該壁部に対向する、表示パネルの位置基準となる壁部の側に向かって下降するように設けられている
請求項１記載のタッチパネル付き表示装置のケース。
【請求項３】
ケースの平面形状は略矩形であり、
４つの壁部がケースの側部に設けられ、
ガイド部は、対向する２つの壁部のそれぞれの中途に設けられ、
傾斜部は、ガイド部が設けられていない２つの壁部のうちの一方の壁部の側から該壁部に対向する、表示パネルの位置基準となる壁部の側に向かって下降するように設けられている
請求項１記載のタッチパネル付き表示装置のケース。
【発明の詳細な説明】
【技術分野】
【０００１】
本発明は、液晶表示パネル等の表示パネルの前面にタッチパネルが設けられた表示体を収納するタッチパネル付き表示装置のケースに関する。
【背景技術】
【０００２】
携帯端末装置等の装置に組み込まれる表示装置として液晶表示パネルを用いた液晶表示装置が広く用いられているが、液晶表示パネルが収納ケース（筐体：以下、ケースという。）に収納された構造の液晶表示装置がある（例えば、特許文献１参照。）。図４は、特許文献１に記載された収納ケースを示す斜視図である。図４に示す例では、ケース５０は、上面が開放した箱状に形成されている。以下、ケース５０の内部空間を凹部５１という。
【０００３】
液晶表示パネル３０は、図４に示す矢印方向に向かって凹部５１に収納される。凹部５１には、バックライトユニットも収納されることがある。なお、ケースにおける４つの直立部（壁部）のうちの１つには、切り欠き部５２が設けられている。切り欠き部５２は、液晶表示パネル３０に接続されるケーブル（図４において図示せず）を通すための部分である。
【０００４】
さらに、液晶表示パネルの前面（ユーザによる視認側）にタッチパネルが設けられた表示装置もある（例えば、特許文献２参照。）。
【０００５】
図５は、特許文献２に記載されたタッチパネル付き液晶表示装置を示す断面図である。図５に示す液晶表示装置は、タッチパネル２０と液晶表示パネル３０とが密着され、タッチパネル２０および液晶表示パネル３０がケース６０に収容されている。なお、図５には、ケース６０の一部が示されている。また、図５には、タッチパネル２０とケース６０との間に設置されている取り付け部６１，６２も示されている。
【０００６】
図５に示すタッチパネル２０は、透明フィルム等で形成される前側基板２１と、透明プラスチック等で形成される後側基板２４とを有する。前側基板２１における後側基板２４に対向する面には透明電極２２が形成されている。また、後側基板２４における前側基板２１に対向する面には透明電極２３が形成されている。すなわち、タッチパネル２０は、抵抗膜方式のタッチパネルである。前側基板２１と後側基板２４との間には、スペーサ２５によって間隙が設けられている。
【０００７】
前面側（視認側）からタッチパネル２０が押下されると、押下された箇所において透明電極２２，２３が接触し、接触箇所と２つの電極（図示せず）との間の抵抗比が変化する。抵抗比の変化が検出されることによって、押下された箇所が検出される。
【０００８】
液晶表示パネル３０は、透明ガラス等で形成される前側基板３１と、透明ガラス等で形成される後側基板３４とを有する。前側基板３１における後側基板３４に対向する面にはＩＴＯ（酸化インジウム錫）等による透明電極３２が形成されている。また、後側基板３４における前側基板３１に対向する面にはＩＴＯ等による透明電極３３が形成されている。前側基板３１と後側基板３４との間で、周辺シール材３５によって形成される空間に液晶が封止されている。
【０００９】
【特許文献１】特開２００７−３８５８号公報（段落００２２−００２３、図１、図２）
【特許文献２】特開２００６−１０６０６３号公報（段落０００４−００１０、図１）
【発明の開示】
【発明が解決しようとする課題】
【００１０】
図６は、タッチパネル付き表示装置の他の例を示す分解斜視図である。タッチパネル２０と液晶表示パネル３０とは、ケース７０に収容される。なお、図６には、タッチパネル２０に駆動信号を供給するとともにタッチパネル２０の検出信号を出力するためのケーブル２６も示されている。また、後側基板３４の一部に駆動回路３６が搭載されている例が示されている。なお、図６では、タッチパネル２０は簡略化して示されているが、タッチパネル２０の構成は、図５に示された構成と同じである。また、タッチパネル２０における透明電極２２，２３および液晶表示パネル３０における透明電極３２，３３は記載省略されている。
【００１１】
また、図６に示すケース７０は底面（図６における斜線部分）を有している。図６に示すタッチパネル付き表示装置を作製する際に、まず、ケース７０の開口部から液晶表示パネル３０が挿入される。
【００１２】
ケース７０に液晶表示パネル３０が挿入された状態で、図７に示すように、矩形の液晶表示パネル３０の四辺の内側（具体的には、前側基板の側の四辺の内側）に接着部材としての両面テープ（両面粘着テープ）７１，７２，７３，７４が貼付される。そして、ケース７０の開口部からタッチパネル２０が挿入され、タッチパネル２０が押圧されることによって、ケース７０内において、液晶表示パネル３０にタッチパネル２０が固着される。
【００１３】
図６に示すような構造は、タッチパネル２０もケース７０の凹部に収納されるので、タッチパネル２０の保護やタッチパネル２０を含む液晶表示装置の機器（液晶表示装置を備える機器）への組み付けの容易性等の観点から好ましいことである。
【００１４】
タッチパネル２０の平面形状が液晶表示パネル３０の平面形状とほぼ同じ大きさである場合には、タッチパネル２０は、ケース７０にほぼ隙間なく収納される。しかし、タッチパネル２０の平面形状が液晶表示パネル３０の平面形状よりも小さい場合には、タッチパネル２０がケース７０に収納されたときに、タッチパネル２０とケース７０の壁部との間に隙間が生じ、ケース７０内においてずれが生じやすくなる。また、タッチパネル２０を設置するときの位置決めが難しい。
【００１５】
そこで、タッチパネルの位置決め用のガイド部をケースに設けることが考えられる。図８（Ａ）は、他の構造のケースの例を示す斜視図である。図８（Ａ）に示すケース８０は、矩形の底面１０ｅと、底面１０ｅの４つの辺から直立する壁部１０ａ，１０ｂ，１０ｃ，１０ｄとを有し、壁部１０ｂと壁部１０ｃとが接する箇所に、ガイド部１３が設けられている。また、壁部１０ｃと壁部１０ｄとが接する箇所に、ガイド部１４が設けられている。
【００１６】
図８（Ｂ）は、ケース８０にタッチパネル２０が収納された状態を示す平面図である。図８（Ｂ）に示す矢印方向に向かってタッチパネル２０をケース８０に収納するときに、ケース８０の内部において、タッチパネル２０は、ガイド部１３，１４における壁部１０ｂ，１０ｄの長手方向に沿った側面１３ｂ，１４ｂに案内される。すなわち、壁部１０ｂ，１０ｄの側面１３ｂ，１４ｂで規制される。よって、ガイド部１３，１４を、タッチパネル２０の所望の設置位置に相当するように設けておけば、タッチパネル２０は正しく位置決めされる。
【００１７】
タッチパネル２０は、液晶表示パネル３０の視認側に設置される必要があるので、タッチパネル２０をケース８０に収納する前に、液晶表示パネル３０をケース８０に収納する必要がある。また、タッチパネル２０がガイド部１３，１４の側面１３ｂ，１４ｂに突き当たるようにするために、ガイド部１３，１４は、ケース８０の底面１０ｅ側に向かってある程度の深さ（厚み）を有していなければならない。また、一般に、ケース８０の内側のサイズは、ケース８０内において液晶表示パネル３０がずれないように、液晶表示パネル３０のサイズと同等にされる。
【００１８】
すると、図９に示すように、液晶表示パネル３０をケース８０に収納するときに、ケース８０におけるガイド部１３，１４が設けられている箇所とは反対側の辺からガイド部１３，１４の方向にスライドさせるように液晶表示パネル３０を装着しようとした場合、液晶表示パネル３０の進入がガイド部１３，１４によって阻止され、液晶表示パネル３０をケース８０に収納できないおそれがある。なお、図９には、液晶表示パネル３０に接続されるケーブル３７も示されている。
【００１９】
ケース８０は４つの側面に壁部１０ａ，１０ｂ，１０ｃ，１０ｄを有しているので、特に壁部１０ａの存在によって、液晶表示パネル３０をケース８０に収納するときに、液晶表示パネル３０を底面１０ｅに対して水平にした状態で液晶表示パネル３０を壁部１０ｃに向かって進入させることはできない。つまり、液晶表示パネル３０を底面１０ｅに対して斜めにした状態で液晶表示パネル３０を壁部１０ｃに向かって進入させざるを得ず、ケース８０の上面の一部を覆うことになるガイド部１３，１４によって、液晶表示パネル３０の先端（進入方向における先端）を壁部１０ｃにまで到達させることができない。
【００２０】
そこで、本発明は、ケース内で表示パネルの上に設置されるタッチパネルをケースに収納するときにタッチパネルを適正な位置に位置決めできるとともに、表示パネルをケース内に容易に収納することができるタッチパネル付き表示装置のケースを提供することを目的とする。
【課題を解決するための手段】
【００２１】
本発明によるタッチパネル付き表示装置のケースは、表示パネル（例えば、液晶表示パネル３０）と、表示パネルよりも視認側に設置されるタッチパネル（２０）とを収容するケースであり、表示パネルおよびタッチパネルを囲うように形成された複数の壁部（１０ａ，１０ｂ，１０ｃ，１０ｄ）を有するタッチパネル付き表示装置のケースであって、タッチパネルを案内する部材であって、ケース内部に張り出す部分を有し、タッチパネルが収納されたときにタッチパネルの側部に当接する側面を有するガイド部（１１，１２）が壁部の上部に設けられ、ガイド部におけるケースの底面側の面に、複数の壁部のうちの１つの壁部の側から該壁部に対向する、表示パネルの位置基準となる壁部の側に向かって下降する傾斜部（１１ａ，１２ａ）が設けられていることを特徴とする。
【００２２】
本発明によるタッチパネル付き表示装置のケースの一態様の構成は、ケースの平面形状は略矩形であり、４つの壁部がケースの側部に設けられ、ガイド部は、表示パネルの位置基準となる壁部と隣接する壁部とが接する箇所に設けられ（図１参照）、傾斜部は、ガイド部が設けられていない壁部（１０ａ）の側から該壁部に対向する、表示パネルの位置基準となる壁部（１０ｃ）の側に向かって下降するように設けられている構成である。
【００２３】
本発明によるタッチパネル付き表示装置のケースの他の態様の構成は、ケースの平面形状は略矩形であり、４つの壁部がケースの側部に設けられ（図３参照）、ガイド部は、対向する２つの壁部（１０ｂ，１０ｄ）のそれぞれの中途に設けられ、傾斜部は、ガイド部が設けられていない２つの壁部（１０ａ，１０ｃ）のうちの一方の壁部（１０ａ）の側から該壁部に対向する、表示パネルの位置基準となる壁部（１０ｃ）の側に向かって下降するように設けられている構成である。
【発明の効果】
【００２４】
本発明によれば、タッチパネルをケースに収納するときにタッチパネルを適正な位置に位置決めできるとともに、表示パネルをケース内に容易に収納することが可能である。
【発明を実施するための最良の形態】
【００２５】
実施の形態１．
図１（Ａ）は、タッチパネル付き表示装置の第１の実施の形態を示す斜視図である。タッチパネルと液晶表示パネルとは、ＡＢＳ樹脂等で一体成型された筐体（ケース）１０に収容される。図１（Ｂ）は、ケース１０に液晶表示パネル３０とタッチパネル２０とが収納された状態を示す平面図である。なお、図１（Ｂ）には、液晶表示パネル３０に接続されるケーブル３７も示されている。
【００２６】
図１（Ａ）に示すケース１０は、略矩形（完全な矩形も含む。）の底面１０ｅと、底面１０ｅの４つの辺から直立する壁部（直立部）１０ａ，１０ｂ，１０ｃ，１０ｄとを有し、壁部１０ｂと壁部１０ｃとが接する箇所に、ガイド部１１が設けられている。また、壁部１０ｃと壁部１０ｄとが接する箇所に、ガイド部１２が設けられている。
【００２７】
タッチパネル２０は、ガイド部１１，１２における壁部１０ｂ，１０ｄの長手方向に沿った側面１１ｂ，１２ｂに沿ってケース１０に収納される。なお、タッチパネル２０の構成は、例えば、図５に示された構成と同じである。また、液晶表示パネル３０の構成は、例えば、図５に示された構成と同じである。
【００２８】
この実施の形態では、液晶表示パネル３０およびタッチパネル２０がケース１０に収納されたときに、タッチパネル２０の上面の底面１０ｅからの高さは、壁部１０ａ，１０ｂ，１０ｃ，１０ｄの高さと同等である。また、タッチパネル２０は、液晶表示パネル３０の視認側に設置される必要があるので、タッチパネル２０をケース１０に収納する前に、液晶表示パネル３０をケース１０に収納する必要がある。また、タッチパネル２０がガイド部１１，１２の側面１１ｂ，１２ｂに突き当たるようにするために、ガイド部１１，１２は、ケース８０の底面１０ｅ側に向かってある程度の深さ（厚み）を有していなければならない。また、一般に、ケース１０の内側のサイズは、ケース１０内において液晶表示パネル３０がずれないように、液晶表示パネル３０のサイズと同等にされる。
【００２９】
よって、何らの対策も施されない場合には、図９に示されたように、液晶表示パネル３０をケース１０に収納するときに、液晶表示パネル１０の進入がガイド部１１，１２によって阻止され、液晶表示パネル３０をケース１０に収納できないおそれがある。
【００３０】
そこで、この実施の形態では、ガイド部１１，１２の裏面に傾斜部１１ａ，１２ａを設ける。図２（Ａ）は、ケース１０におけるガイド部１２の周辺を示す斜視図である。なお、図２（Ａ）では、壁部１０ｃは記載省略されている。また、ガイド部１１とガイド部１２とは、壁部１０ｂ，１０ｃの長手方向でのケース１０の中心線に対して対称である。つまり、対称形ではあるが、ガイド部１１の構造は、ガイド部１２の構造と同じである。そして、ガイド部１１，１２のそれぞれにおいて、裏面に傾斜部１１ａ，１２ａが設けられている。
【００３１】
図２（Ｂ）は、図２（Ａ）に矢印Ｂで示す方向からガイド部１２を眺めた場合の側面１２ｂを示す側面図である。図２（Ｂ）に示すように、ガイド部１２において、傾斜部１２ａは、ケース１０の奥（表示パネルの位置基準となる壁部１０ｃが設けられている側）に向かって厚さが厚くなるように形成されている。そのことは、ガイド部１１についても同様である。
【００３２】
図２（Ｃ）は、液晶表示パネル３０が装着される様子を示す斜視図である。図２（Ｃ）において、（１）の矢印は、液晶表示パネル３０が挿入される方向を示す。つまり、液晶表示パネル３０は、ケース１０の底面１０ｅに対して傾けられ、傾斜部１２ａに沿ってスライドするようにケース１０の奥に向かって挿入される。液晶表示パネル３０の先側の辺が壁部１０ｃに突き当たると、図２（Ｃ）において（２）の矢印で示された方向に向かって載置される。
【００３３】
傾斜部１１ａ，１２ａの傾斜の程度（傾き）は、ケース１０の深さ（壁部の高さ：特に液晶表示パネルの挿入側である壁部１０ａの高さ）、ガイド部１１，１２の設置位置および液晶表示パネル３０の厚さにもとづいて決定される。つまり、液晶表示パネル３０を傾斜部１１ａ，１２ａに沿ってスライドさせたときに、液晶表示パネル３０の先側の辺が、ガイド部１１，１２の下に潜り込んで壁部１０ｃにまで突き当たることが保証される傾きに設定される。
【００３４】
液晶表示パネル３０がケース１０に収納されると、図７に示されたように、矩形の液晶表示パネル３０の四辺の内側に接着部材としての両面テープ（両面粘着テープ）７１，７２，７３，７４が貼付される。なお、バックライトユニットもケース１０に収納されることがある。
【００３５】
次いで、タッチパネル２０をケース１０に収納する。タッチパネル２０をケース１０に収納するときに、タッチパネル２０は、ガイド部１１，１２における壁部１０ｂ，１０ｄの長手方向に沿った側面１１ｂ，１２ｂに案内されるので、ガイド部１１，１２を、タッチパネル２０の所望の設置位置に相当するように設けておけば、タッチパネル２０は正しく位置決めされる。
【００３６】
実施の形態２．
第１の実施の形態（実施の形態１）では、壁部１０ｂと壁部１０ｃとが接する箇所にガイド部１１が設けら、壁部１０ｃと壁部１０ｄとが接する箇所に、ガイド部１２が設けられていたが、ガイド部１１，１２の設置位置は、そのような位置に限られない。タッチパネル２０を所望の位置に位置決めでき、かつ、液晶表示パネル３０をケース１０に収納できるような位置であれば、壁部１０ｂ，１０ｄの中途に設けられていてもよい。中途とは、壁部１０ａ，１０ｂ，１０ｃ，１０ｄが形成する４隅以外の箇所である。
【００３７】
図３は、壁部１０ｂの中途であって、壁部１０ｃと壁部１０ｄとが形成する隅に近い部分にガイド部１１が設置され、壁部１０ｄの中途であって、壁部１０ｃと壁部１０ｄとが形成する隅に近い部分にガイド部１２が設置された第２の実施の形態のケース１０を示す斜視図である。なお、壁部１０ｂと壁部１０ｃとが形成する隅に近いとは、ガイド部１１の設置位置から、壁部１０ｂと壁部１０ｃとが形成する隅までの距離が、壁部１０ａと壁部１０ｂとが形成する隅までの距離よりも短いことを意味する。また、壁部１０ｃと壁部１０ｄとが形成する隅に近いとは、ガイド部１２の設置位置から、壁部１０ｃと壁部１０ｄとが形成する隅までの距離が、壁部１０ａと壁部１０ｄとが形成する隅までの距離よりも短いことを意味する。
【００３８】
図３に示された構造においても、ガイド部１１，１２の裏面に傾斜部１１ａ，１２ａが設けられている。ただし、傾斜部１１ａ，１２ａの傾きは、第１の実施の形態の場合に比べて急である。すなわち、ケース１０の奥（壁部１０ｃが設けられている側）に最も近い箇所の厚さと、ケース１０の奥から最も遠い箇所の厚さとの差は、第１の実施の形態の場合よりも大きい。
【００３９】
図３に示された構造のケース１０を用いた場合でも、傾斜部１１ａ，１２ａの傾きを、液晶表示パネル３０を傾斜部１１ａ，１２ａに沿ってスライドさせたときに、液晶表示パネル３０の先側の辺が、ガイド部１１，１２の下に潜り込んで壁部１０ｃにまで突き当たることが保証される傾きに設定することによって、タッチパネル２０を所望に位置に位置決めでき、かつ、液晶表示パネル３０をケース１０に収納できるようになる。
【００４０】
なお、上記の各実施の形態では、ガイド部１１，１２はケース１０に設置されると表現したが、ガイド部１１，１２が一体形成されたケース１０を用いることができる。また、ガイド部を、ケースに、１つまたは３つ形成してもよい。
【００４１】
また、上記の各実施の形態では、ケース１０の材質としてＡＢＳ樹脂を例示したが、ケース１０の材質は、ＡＢＳ樹脂以外の合成樹脂であってもよいし、合成樹脂以外の材質（例えば金属）であってもよい。また、上記の各実施の形態では、タッチパネル２０と液晶表示パネル３０とを接合するものとして両面テープを例にしたが、接着部材として他のものを用いてもよい。
【００４２】
さらに、上記の各実施の形態では、表示パネルとして液晶表示パネル３０を例にしたが、有機ＥＬパネル等の他の表示パネルを用いてもよい。
【００４３】
また、上記の各実施の形態では、貫通部分が存在しない底面１０ｅを有するケース１０を例にしたが、底面側から液晶表示パネル３０をケース１０に挿入できない構造であれば、本発明を適用できる。例えば、底面側の４隅の部分にのみ平面が存在し、中央部が貫通している構造のケースに対しても本発明を適用できる。
【産業上の利用可能性】
【００４４】
本発明は、ナビゲーション装置などの装置に組み込まれる表示装置であって、タッチパネルが備えられた表示装置を収納する用途に好適に適用される。
【図面の簡単な説明】
【００４５】
【図１】（Ａ）はタッチパネル付き表示装置の第１の実施の形態を示す斜視図、（Ｂ）はケースに液晶表示パネルとタッチパネルとが収納された状態を示す平面図。
【図２】（Ａ）はケースにおけるガイド部の周辺を示す斜視図、（Ｂ）は矢印Ｂで示す方向からガイド部を眺めた場合の側面を示す側面図、（Ｃ）は液晶表示パネルが装着される様子を示す斜視図。
【図３】第２の実施の形態のケースを示す斜視図。
【図４】従来のケースを示す斜視図。
【図５】従来のタッチパネル付き液晶表示装置を示す断面図。
【図６】タッチパネル付き表示装置を示す分解斜視図。
【図７】矩形の液晶表示パネルの四辺の内側に両面テープ（両面粘着テープ）が貼付された状態を示す平面図。
【図８】（Ａ）は他の構造のケースの例を示す斜視図、（Ｂ）はケースにタッチパネルが収納された状態を示す平面図。
【図９】液晶表示パネルをケースに収納するときにガイド部で阻止される様子を示す平面図。
【符号の説明】
【００４６】
２０  タッチパネル
３０  液晶表示パネル
１０  ケース
１０ａ，１０ｂ，１０ｃ，１０ｄ  壁部
１０ｅ  底面
１１，１２  ガイド部
１１ａ，１２ａ  傾斜部
１１ｂ，１２ｂ  側面
【図１】
2008209763.tif 000003
【図２】
2008209763.tif 000004
【図３】
2008209763.tif 000005
【図４】
2008209763.tif 000006
【図５】
2008209763.tif 000007
【図６】
2008209763.tif 000008
【図７】
2008209763.tif 000009
【図８】
2008209763.tif 000010
【図９】
2008209763.tif 000011